(57)【特許請求の範囲】
【請求項１】
少なくとも第１の辺の一方端側に第１の舌片部が延出形成され、前記第１の辺と対向する第２の辺の一方端側からフレキシブル配線板が延出される表示ユニットと、
前記第１の舌片部を挿入可能な第１の開口部が形成されるシャーシ部材と、
前記フレキシブル配線板が接続されるコネクタと、を備え、
前記表示ユニットを前記シャーシ部材に載置し、前記フレキシブル配線板を前記コネクタに接続することで、前記表示ユニットが第１の方向に回転して、前記第１の舌片部が前記第１の開口部に挿入されるように、前記フレキシブル配線板の長さを設定することを特徴とする電子機器。
【請求項２】
前記表示ユニットの前記第２の辺の他方端側に第２の舌片部が延出形成され、
前記シャーシ部材には、前記第２の舌片部を挿入可能な第２の開口部が形成され、
前記表示ユニットを前記シャーシ部材に載置し、前記フレキシブル配線板を前記コネクタに接続することで、前記表示ユニットが第１の方向に回転して、前記第２の舌片部が前記第２の開口部に挿入されるように、前記フレキシブル配線板の長さを設定することを特徴とする請求項１に記載の電子機器。
【請求項３】
前記表示ユニットと前記シャーシ部材との間に配置される弾性部材を備え、
前記弾性部材は導電性を有し、前記弾性部材が前記表示ユニットの前記第１の辺および前記第２の辺の略中央位置で、前記表示ユニットと前記シャーシ部材との間に配置されることを特徴とする請求項１または２に記載の電子機器。
【請求項４】
前記シャーシ部材は、前記表示ユニットの前記第１の辺および前記第２の辺の略中央位置で、前記表示ユニットと接触することを特徴とする請求項１または２に記載の電子機器。
【請求項５】
前記表示ユニットは長方形形状を有し、前記第１の辺および前記第２の辺は前記表示ユニットの長辺であることを特徴とする請求項１ないし４のいずれ１項に記載の電子機器。
【発明の詳細な説明】
【技術分野】
【０００１】
本発明は、電子機器に関し、特に、電子機器における表示ユニットの取り付け構造に関する。
【背景技術】
【０００２】
従来、ＬＣＤ等の表示ユニットを備える電子機器には、樹脂又は金属製の外装部材の組み付け前に表示ユニットが組立体に仮保持されることで移動の自由度を持ち、外装部材の取り付け後に表示ユニットの位置が決まるフローティング構造を有するものがある。
【０００３】
このようなフローティング構造では、外装部材を取り付ける前の表示ユニットが仮保持された状態で電子機器を立てた姿勢で調整作業すると、若干の衝撃で表示ユニットが浮いて脱落してしまうことがある。
【０００４】
そこで、表示ユニットの外周部全体にリング状のゴムブッシュを装着し、本体枠部へ圧入により嵌め込み、且つ弾性を利用して表示部のフローティング支持を行う技術が提案されている（例えば、特許文献１参照）。
【先行技術文献】
【特許文献】
【０００５】
【特許文献１】特開２００２−３６５６１３号公報
【発明の概要】
【発明が解決しようとする課題】
【０００６】
しかしながら、特許文献１記載の技術では、外装部材を取り付ける前の、表示ユニットが本体枠部へリングブッシュでの圧入のみで保持された状態では、表示ユニットに衝撃が加わったときに脱落し易い。脱落を防ごうとすれば、圧入量を増す必要が生じ、結果的に、表示ユニットにストレスが加わってモアレ等の表示不良の原因となってしまう。
【０００７】
また、圧入量の増大は、圧入が不完全な状態、即ち表示部の浮きや傾きを招き、外装部材の組み付け後に外装部材と表示ユニットとの厚み方向の隙間が増大したり、不均一となって、外観品位が低下するおそれがある。
【０００８】
本発明は、上記問題に鑑みて成されたものであり、簡易な構造で、外装部材の取り付け前の状態で電子機器を立てて、調整作業を行ったとしても、表示ユニットが脱落することがない電子機器を提供することを目的とする。
【課題を解決するための手段】
【０００９】
上記目的を達成するために、本発明の電子機器は、少なくとも第１の辺の一方端側に第１の舌片部が延出形成され、前記第１の辺と対向する第２の辺の一方端側からフレキシブル配線板が延出される表示ユニットと、前記第１の舌片部を挿入可能な第１の開口部が形成されるシャーシ部材と、前記フレキシブル配線板が接続されるコネクタと、を備え、前記表示ユニットを前記シャーシ部材に載置し、前記フレキシブル配線板を前記コネクタに接続することで、前記表示ユニットが第１の方向に回転して、前記第１の舌片部が前記第１の開口部に挿入されるように、前記フレキシブル配線板の長さを設定することを特徴とする。
【発明の効果】
【００１０】
本発明によれば、外装部材の取り付け前の状態で電子機器を立てて、調整作業を行ったとしても、表示ユニットが脱落することがない電子機器を提供することが可能となる。
【図面の簡単な説明】
【００１１】
【図１】本発明を実施した電子機器の一例であるデジタルカメラ１の分解斜視図である。
【図２】デジタルカメラ１の一部である本体ユニットＨの分解斜視図である。
【図３】液晶表示ユニット１８の形状を説明する斜視図である。
【図４】シャーシ１０の形状を説明する斜視図である。
【図５】液晶表示ユニット１８をシャーシ１０に載置した状態を説明する図である。
【図６】液晶表示ユニット１８をシャーシ１０に仮固定した状態を説明する図である。
【発明を実施するための形態】
【００１２】
（実施例１）
図１は、本発明を実施した電子機器の一例であるデジタルカメラ１の分解斜視図である。
【００１３】
図１はデジタルカメラ１からフロントカバー２、リアカバー３、トップカバー４、ボトムカバー５、サイドカバー６、ジャックカバー８、及びストラップ取付部材９を取り外した状態を示す分解斜視図である。図１に示す状態では、電池蓋ユニット７は本体ユニットＨに取り付けられている。
【００１４】
図２は、本体ユニットＨをさらに分解した斜視図である。シャーシ部材としてのシャーシ１０に電池収納部１１、電池蓋ユニット７、三脚ネジ部材１２を結合してシャーシユニット１３を形成している。そして、シャーシユニット１３に、デジタルカメラの前面側からレンズユニット１４、ストロボユニット１５、メイン基板１６、放熱板１７を取付ける。なお、メイン基板１６には、コネクタ１６ａが実装されている。
【００１５】
一方、デジタルカメラの背面側から、シャーシユニット１３に液晶表示ユニット１８と操作部材１９を取り付ける。さらに、デジタルカメラの上面側からフレキシブル配線板２０を取付けている。
【００１６】
図３は、液晶表示ユニット１８の形状を説明する斜視図である。
【００１７】
図３（ａ）は液晶表示ユニット１８を表示面側から見た斜視図であり、図３（ａ）は液晶表示ユニット１８を背面側から見た斜視図である。
【００１８】
液晶表示ユニット１８は長方形形状を有し、長方形の長辺となる第１の辺１８ａの一方端側に第１の舌片部１８ｃが延出形成されるとともに、第１の辺１８ａと対向する長方形の長辺となる第２の辺１８ｂの他方端側に第２の舌片部１８ｄが延出形成される。第１の舌片部１８ｃと第２の舌片部１８ｄは液晶表示ユニット１８の中心点に対して点対称となっている。
【００１９】
液晶表示ユニット１８の短辺１８ｅからＬ字形状のフレキシブル配線板１８ｆが延出される。図３（ｂ）に示すように、フレキシブル配線板１８ｆは、液晶表示ユニット１８の背面に折りたたまれ、両面テープ２１によって、液晶表示ユニット１８の背面に接着されている。これによって、フレキシブル配線板１８ｆは液晶表示ユニット１８の第２の辺１８ｂの一方端側から延出することになる。
【００２０】
図４は、シャーシ１０の形状を説明する斜視図である。
【００２１】
シャーシ１０には、４つの壁部１０ａ〜１０ｄが立設され、４つの壁部１０ａ〜１０ｄに囲まれる空間１０ｅに液晶表示ユニット１８が載置される。空間１０ｅ内には、フレキシブル配線板１８ｆが挿通される開口１０ｆが形成される。また、シャーシ１０の空間１０ｅ内には、液晶表示ユニット１８を空間１０ｅ内に載置した後、液晶表示ユニット１８を第１の方向である時計回りに回転させたときに、第１の舌片部１８ｃが挿入される第１の開口部１０ｇが形成されている。同様に、空間１０ｅ内には、液晶表示ユニット１８を空間１０ｅ内に載置した後、液晶表示ユニット１８を時計回りに回転させたときに、第２の舌片部１８ｄが挿入される第２の開口部１０ｈが形成されている。
【００２２】
また、シャーシ１０の壁部１０ａおよび１０ｂの内側には、それぞれ導電性を有する弾性部材であるポロン２２ａおよび２２ｂが貼られている。
【００２３】
図５は、液晶表示ユニット１８をシャーシ１０の空間１０ｅ内に載置した状態を説明する図である。
【００２４】
図５（ａ）は液晶表示ユニット１８をシャーシ１０の空間１０ｅ内に載置した状態を示す正面図である。図５（ｂ）は図５（ａ）のＡ部を拡大した図であり、図５（ｃ）は図５（ａ）のＢ部を拡大した図である。図５（ｄ）は図５（ａ）のＣ部を拡大した図であり、図５（ｅ）は図５（ａ）のＤ部を拡大した図である。
【００２５】
液晶表示ユニット１８をシャーシ１０の空間１０ｅ内に載置する際に、シャーシ１０の壁１０ａと液晶表示ユニット１８の第１の辺１８ａとが平行となる状態では、第１の舌片部１８ｃが壁１０ａと干渉してしまい、第２の舌片部１８ｄが壁１０ｂと干渉してしまう。つまり、シャーシ１０の壁１０ａと液晶表示ユニット１８の第１の辺１８ａとが平行となる状態では、液晶表示ユニット１８をシャーシ１０の空間１０ｅ内に載置することができない。したがって、図５（ａ）に示すように、シャーシ１０の壁１０ａに対して液晶表示ユニット１８の第１の辺１８ａを傾ける。シャーシ１０の壁１０ａに対して液晶表示ユニット１８の第１の辺１８ａを傾けることで、第１の舌片部１８ｃは壁１０ａと干渉しなくなり、第２の舌片部１８ｄも壁１０ｂと干渉しなくなる。このように、シャーシ１０の壁１０ａに対して液晶表示ユニット１８の第１の辺１８ａを傾けて、液晶表示ユニット１８をシャーシ１０の空間１０ｅ内に載置する。このとき、フレキシブル配線板１８ｆはシャーシ１０の開口１０ｆに挿通され、フレキシブル配線板１８ｆの先端はメイン基板１６に実装されるコネクタ１６ａの近傍まで導かれる。
【００２６】
図５（ａ）に示すように、シャーシ１０の壁１０ａに対して液晶表示ユニット１８の第１の辺１８ａを傾けた状態では、図５（ｂ）に示すように第１の舌片部１８ｃは第１の開口部１０ｇに挿入されていない。同様に、図５（ａ）の状態では、図５（ｃ）に示すように第２の舌片部１８ｄは第２の開口部１０ｈに挿入されていない。
【００２７】
図５（ａ）に示すように、液晶表示ユニット１８をシャーシ１０の空間１０ｅ内に載置することで、ポロン２２ａは液晶表示ユニット１８の第１の辺１８ａの略中央位置に当接し、ポロン２２ｂは液晶表示ユニット１８の第２の辺１８ｂの略中央位置に当接する。したがって、ポロン２２ａは液晶表示ユニット１８の第１の辺１８ａの略中央位置で、液晶表示ユニット１８とシャーシ１０との間に配置される。一方、ポロン２２ｂは液晶表示ユニット１８の第２の辺１８ｂの略中央位置で、液晶表示ユニット１８とシャーシ１０との間に配置される。
【００２８】
図５（ａ）に示す状態では、ポロン２２ａは図５（ｄ）に示すように変形し、ポロン２２ｂは図５（ｅ）に示すように変形する。
【００２９】
図６は、図５（ａ）に示す状態から、液晶表示ユニット１８を第１の方向である時計回りに回転させて、液晶表示ユニット１８をシャーシ１０に仮固定した状態を示している。
【００３０】
図６（ａ）は液晶表示ユニット１８をシャーシ１０の空間１０ｅ内に仮固定した状態を示す正面図である。図６（ｂ）は図６（ａ）のＡ部を拡大した図であり、図６（ｃ）は図６（ａ）のＢ部を拡大した図である。図６（ｄ）は図６（ａ）のＣ部を拡大した図であり、図６（ｅ）は図６（ａ）のＤ部を拡大した図である。
【００３１】
図５（ａ）に示す状態から、液晶表示ユニット１８を時計回りに回転させることで、図６（ｂ）に示すように、第１の舌片部１８ｃが第１の開口部１０ｇに挿入されるとともに、図６（ｃ）に示すように、第２の舌片部１８ｄが第２の開口部１０ｈに挿入される。図６の状態では、ポロン２２ａは図６（ｄ）に示すように変形し、ポロン２２ｂは図６（ｅ）に示すように変形する。
【００３２】
図６に示す状態で、フレキシブル配線板１８ｆの先端をメイン基板１６に実装されるコネクタ１６ａに挿入して、フレキシブル配線板１８ｆとコネクタ１６ａとを接続する。
【００３３】
フレキシブル配線板１８ｆの先端をコネクタ１６ａに挿入したときに、液晶表示ユニット１８が図６に示す状態となるように、フレキシブル配線板１８ｆの長さは決められている。また、フレキシブル配線板１８ｆは両面テープ２１によって液晶表示ユニット１８の背面に接着されている。
【００３４】
したがって、フレキシブル配線板１８ｆの先端がコネクタ１６ａに固定されることで、フレキシブル配線板１８ｆをたわませなければ、液晶表示ユニット１８は図６に示す状態から図５に示す状態に回転しない。すなわち、たわみに対するフレキシブル配線板１８ｆの反発力が液晶表示ユニット１８の反時計回りの回転を妨げることになる。すなわち、液晶表示ユニット１８が第１の方向とは反対方向となる第２の方向に回転することを妨げる。
【００３５】
したがって、図６に示す状態とした後、フレキシブル配線板１８ｆをコネクタ１６ａに接続することで、液晶表示ユニット１８は図６に示す状態から図５に示す状態に回転してしまうことがなく、液晶表示ユニット１８は図６に示す状態を維持することができる。
【００３６】
また、図５に示す状態にて、フレキシブル配線板１８ｆの先端をメイン基板１６に実装されるコネクタ１６ａに挿入すると、フレキシブル配線板１８ｆがたわんだ状態でコネクタ１６ａに接続される。このとき、フレキシブル配線板１８ｆはフレキシブル配線板１８ｆの反発力によって、たわんだ状態を解消しようとして、液晶表示ユニット１８に矢印Ｆの力を与える。
【００３７】
このとき、フレキシブル配線板１８ｆの反発力は、図５の矢印Ｆのように液晶表示ユニット１８を押し下げる方向に作用する。本実施例では、ポロン２２ａによって、液晶表示ユニット１８の第１の辺１８ａの略中央位置がシャーシ１０の壁１０ａに接触し、ポロン２２ｂによって、液晶表示ユニット１８の第２の辺１８ｂの略中央位置がシャーシ１０の壁１０ｂに接触している。そして、フレキシブル配線板１８ｆの反発力が加わる位置はポロン２２ａおよび２２ｂよりも外側であるので、フレキシブル配線板１８ｆが液晶表示ユニット１８を押し下げる力は液晶表示ユニット１８を時計回りに回転させる力として作用する。
【００３８】
ポロン２２ａおよび２２ｂがない場合には、フレキシブル配線板１８ｆの反発力によって、液晶表示ユニット１８を下方にスライドさせてしまい、第２の舌片部１８ｄは第２の開口部１０ｈから抜けてしまう。つまり、液晶表示ユニット１８の第１の辺１８ａの略中央位置がシャーシ１０の壁１０ａに接触し、液晶表示ユニット１８の第２の辺１８ｂの略中央位置がシャーシ１０の壁１０ｂに接触することで、液晶表示ユニット１８に回転中心が定義される。回転中心が定義されることで、液晶表示ユニット１８を押し下げる方向の力は液晶表示ユニット１８を回転させる力となる。
【００３９】
さらに、本実施例では、シャーシ１０は導電性を有する金属材料で形成されている。そして、シャーシ１０は、レンズユニット１４、ストロボユニット１５、メイン基板１６およびフレキシブル配線板２０のグランド電位となるグランドパターンが電気的に接続される。また、ポロン２２ａおよび２２ｂが導電性を有することで、液晶表示ユニット１８の第１の辺１８ａおよび第２の辺１８ｂをグランド電位とすることができる。
【００４０】
本実施例のデジタルカメラは、フレキシブル配線板１８ｆの反発力によって、第１の舌片部１８ｃが第１の開口部１０ｇに挿入され、第２の舌片部１８ｄが第２の開口部１０ｈに挿入される状態を維持することができる。
【００４１】
これによって、リアカバー３を取り付ける前の状態で、デジタルカメラを立てて、調整作業を行ったとしても、液晶表示ユニット１８はシャーシ１０の空間１０ｅ内に仮固定され、液晶表示ユニット１８がシャーシ１０から脱落することがない。
【００４２】
本実施例では、上述したように、液晶表示ユニット１８の第１の辺１８ａの略中央位置とシャーシ１０の壁１０ａとの間にポロン２２ａを配置し、液晶表示ユニット１８の第２の辺１８ｂの略中央位置とシャーシ１０の壁１０ｂとの間にポロン２２ｂを配置している。これに代えて、液晶表示ユニット１８の第１の辺１８ａおよび第２の辺１８ｂの略中央位置にそれぞれ突起を形成して、シャーシ１０の壁１０ａおよび壁１０ｂと接触させても、本実施例と同様の作用効果を奏する。
【００４３】
また、液晶表示ユニット１８の中心点となる位置の背面側にピンを形成するとともに、シャーシ１０に、このピンが挿通される穴を形成することで、液晶表示ユニット１８をシャーシ１０に対して回転可能としても、本実施例と同様の作用効果を奏する。
【００４４】
また、本実施例では液晶表示ユニット１８の長辺に第１の舌片部１８ｃおよび第２の舌片部１８ｄを形成したが、液晶表示ユニット１８の短辺であっても、本実施例と同様の作用効果を奏する。
【００４５】
さらに、第２の舌片部１８ｄおよび第２の開口部１０ｈを設けることなく、第１の舌片部１８ｃおよび第１の開口部１０ｇだけであっても、本実施例と同様の作用効果を奏する。
【符号の説明】
【００４６】
１  デジタルカメラ
３  リアカバー
１０  シャーシ
１６  メイン基板
１６ａ  コネクタ
１８  液晶表示ユニット
１８ｃ  第１の舌片部
１８ｄ  第２の舌片部
１８ｆ  フレキシブル配線板
２２ａ  ポロン
２２ｂ  ポロン
【図１】
0005473749.tif 000002
【図２】
0005473749.tif 000003
【図３】
0005473749.tif 000004
【図４】
0005473749.tif 000005
【図５】
0005473749.tif 000006
【図６】
0005473749.tif 000007